(57)【要約】【課題】  施工現場において、横木部材の木口面を横木部材の側面に安全かつ容易に仮接合でき、かつ、仮接合させた後、横木部材の木口面が上方に抜けないように強固に接合することの可能な接合金具の提供を目的とする。【解決手段】  厚み方向にオフセットした、第一面部材４１及び第二面部材４２を有し、第一面部材４１が梁８に固定され、第二面部材４２が雇い金具２と係合する縦方向のスリット部４２１を有する根太受金具４と、棒状であって、根太９側に係入したとき、根太９の側面から挿入される連結ピン３が貫入するピン孔２１を有し、梁８側の周面の対向する位置に、ピン孔２１と直交する係合溝２２を形成した雇い金具２と、上り防止ピン６とを備えた構成としてある。【選択図】  図１
2005307527.tif 000002
【特許請求の範囲】
【請求項１】
一方の木部材に取り付けられる第一金具と、他方の木部材に取り付けられる第二金具とを組み合わせて木部材どうしを接合する接合金具であって、
前記第一金具は、厚み方向にオフセットした、第一面及び第二面を有し、このうちの第一面が前記一方の木部材に固定され、第二面が前記第二金具と係合する縦方向のスリット部を有することを特徴とした接合金具。
【請求項２】
前記第二金具が棒状であって、他方の木部材側に、前記他方の木部材に係入したとき、他方の木部材の壁部から挿入されるピンが貫入するピン孔を有し、一方の木部材側の周面の対向する位置に、前記ピン孔と直交する方向の溝を形成し、この溝を前記第一金具のスリット部に係合させることを特徴とした請求項１記載の接合金具。
【請求項３】
前記第二金具が、前記第一金具のスリット部の幅より狭い厚さのプレート状であって、一方の木部材側及び他方の木部材側に、前記他方の木部材に係入したとき、他方の木部材の壁部から挿入されるピンが貫入するピン孔を有し、かつ、前記第二金具を、前記一方の木部材側に貫入させたピンが前記第一金具の第二面と前記一方の木部材との間に位置するように、前記スリット部に係合させることを特徴とした請求項１記載の接合金具。
【請求項４】
前記第一金具が、前記第一面の上部と第二面の下部とを結ぶ第三面を有し、かつ、前記第三面の下方に位置するように、前記他の木部材の壁部から挿入される第三金具をさらに備えることを特徴とした請求項１〜３のいずれかに記載の接合金具。
【請求項５】
前記第一金具を一方の木部材としての梁に取り付け、前記第二金具を他方の木部材としての根太に取り付け、前記梁と根太を接合することを特徴とした請求項１〜４のいずれかに記載の接合金具。
【発明の詳細な説明】
【技術分野】
【０００１】
本発明は、接合金具に関し、特に、梁等の横木部材の側面に固定され縦方向のスリット部を有する第一金具と、根太等の横木部材の木口面に固定され前記スリット部と係合する第二金具とからなり、横木部材の木口面を横木部材の側面に安全，容易かつ強固に接合することの可能な接合金具に関する。
【背景技術】
【０００２】
従来、梁と根太などの木部材どうしを接合する際、金属製の接合金具が用いられてきた。
一般的に、接合金具を使用すると、木部材に複雑な仕口加工を行なう代わりに、工場内で接合金具を木部材に効率よく取り付けることができ、かつ、施工現場では、安全かつ容易に木部材どうしを接合することができる。さらに、接合金具を使用することにより、木部材どうしを強固に接合することもできる。
このように、接合金具は優れた効果を有しており、これらの効果をさらに高めることを目的として、様々な構造のものが提案され実用化されている。
【０００３】
たとえば、特許文献１の接合構造は、互いに対応している楔挿通孔と楔窓孔に、楔案内片が挿入するとともに打込み細長楔を打設挿入することにより、互いの接合端面を圧接緊締し、木造建築物において、簡単な構造により木材を十分な剪断耐力および緊締強度で、しかも、体裁よく接合することができる。
【特許文献１】特開平７−２７９２６０号公報  （請求項３、図２）
【発明の開示】
【発明が解決しようとする課題】
【０００４】
しかしながら、上記特許文献１にかかる接合構造は、比較的軽量な長尺の端面どうしを接合するためのものであり、梁と根太の接合のように横木部材の側面に横木部材の端面を接合することについては考慮されていない。すなわち、一本の棒状の金具だけで木部材を接合しているので、梁と根太などの接合には、強度上問題がある。また、施工現場において、重量物である木部材、たとえば、根太を梁に接合させるときには、まず、根太を梁に安全かつ容易に仮接合し、その後、堅締する必要があるが、上記接合構造では、この要求に応えることができない。
【０００５】
本発明は、上記の事情にかんがみなされたものであり、施工現場において、横木部材の木口面を横木部材の側面に安全かつ容易に仮接合でき、かつ、仮接合させた後、横木部材の木口面が上方に抜けないように強固に接合することの可能な接合金具の提供を目的とする。
【課題を解決するための手段】
【０００６】
この目的を達成するため、本発明の接合金具は、一方の木部材に取り付けられる第一金具と、他方の木部材に取り付けられる第二金具とを組み合わせて木部材どうしを接合する接合金具であって、前記第一金具は、厚み方向にオフセットした、第一及び第二面を有し、このうちの第一面が前記一方の木部材に固定され、第二面が前記第二金具と係合する縦方向のスリット部を有する構成としてある。
このようにすると、スリット部を利用して、第二金具を容易に係合することができ、他方の木部材を一方の木部材に容易に仮接合させることができる。また、オフセット量を小さくすることにより、一方の木部材からの根太受金具の出幅を小さくすることができるので、根太受金具の取り付けられた木部材をトラック等で施工現場に搬送する際、積載効率を向上させることができる。
【０００７】
また、本発明の接合金具は、前記第二金具が棒状であって、他方の木部材側に、前記他方の木部材に係入したとき、他方の木部材の壁部から挿入されるピンが貫入するピン孔を有し、一方の木部材側の周面の対向する位置に、前記ピン孔と直交する方向の溝を形成し、この溝を前記第一金具のスリット部に係合させる構成としてある。
このようにすると、第二金具として棒状部材を使用し、構造を単純化することができるので、製造原価のコストダウンを図ることができる。また、他方の木部材への取付け加工として、ピンの貫入孔と、第二金具を挿入する挿入穴を穿設するだけですむので、作業性を向上させることができる。
【０００８】
また、本発明の接合金具は、前記第二金具が、前記第一金具のスリット部の幅より狭い厚さのプレート状であって、一方の木部材側及び他方の木部材側に、前記他方の木部材に係入したとき、他方の木部材の壁部から挿入されるピンが貫入するピン孔を有し、かつ、前記第二金具を、前記一方の木部材側に貫入させたピンが前記第一金具の第二面と前記一方の木部材との間に位置するように、前記スリット部に係合させる構成としてある。
このようにすると、第二金具として板状部材を使用し、構造を単純化することができるので、製造原価のコストダウンを図ることができる。
【０００９】
また、本発明の接合金具は、前記第一金具が、前記第一面の上部と第二面の下部とを結ぶ第三面を有し、かつ、前記第三面の下方に位置するように、前記他の木部材の壁部から挿入される第三金具をさらに備える構成としてある。
このようにすると、第二金具が上方に抜けることを効果的に防止でき、接合強度を向上させることができる。
【００１０】
また、本発明の接合金具は、前記第一金具を一方の木部材としての梁に取り付け、前記第二金具を他方の木部材としての根太に取り付け、前記梁と根太を接合する構成としてある。
このようにすると、根太を上方から落とし込むことにより、根太を梁に仮接合することができるので、梁と根太を効率よく接合することができる。
【発明の効果】
【００１１】
このように、本発明にかかる接合金具は、梁等の横木部材の側面に固定され縦方向のスリット部を有する第一金具と、根太等の横木部材の木口面に固定され前記スリット部と係合する第二金具とからなり、横木部材の木口面を横木部材の側面に安全かつ容易に仮接合でき、さらに、仮接合させた後、上り防止ピンを使用することにより、横木部材の木口面が上方に抜けないように強固に接合することができる。
【発明を実施するための最良の形態】
【００１２】
［第一実施形態］
図１は、本発明の第一実施形態にかかる接合金具を説明するための概略分解斜視図を示している。
同図において、接合金具１は、雇い金具２，連結ピン３，根太受金具４，釘５１，ボルト５２，ナット５３，及び，上り防止ピン６とからなっている。
なお、本実施形態では、梁８（一方の木部材）に根太９（他方の木部材）を接合する例について説明するが、この例に限定されないことはもちろんである。
また、図１においては、理解しやすいように、接合金具１の他に、梁８及び根太９を二点鎖線で図示してある。
【００１３】
（雇い金具）
雇い金具２は、根太９に固定される第二金具であり、根太側の端部にピン孔２１が穿設され、かつ、梁側の端部に係合溝２２が形成された金属製の丸棒である。なお、根太側の端面周縁部には、面取り加工が施されており、雇い金具２を根太９に容易に挿入することができる。
ピン孔２１は、雇い金具２の根太側に水平方向に穿設され、雇い金具２が根太９の木口面から軸線方向に挿入された状態で、根太９の側面から連結ピン３が貫入される孔である。ピン孔２１に連結ピン３が打ち込まれることにより、雇い金具２は根太９に固定される。
係合溝２２は、梁側の周面の対向する位置に、ピン孔２１と直交する方向に形成された一対の溝であり、本実施形態では、縦方向に対向して設けてある。
【００１４】
（根太受金具）
根太受金具４は、梁８に取り付けられる第一金具であり、厚み方向にオフセットされた第一面部材（第一面）４１及び第二面部材（第二面）４２と、第一面部材４１の上部と第二面部材４２の下部とを結ぶ第三面部材（第三面）４３とからなり、側面から見ると鉤状に形成されている。なお、「オフセットされる」とは、所定の間隔をもって平行な位置関係にあることをいう。
第一面部材４１は、中央部にボルト５２が貫通するボルト孔４１１が穿設され、さらに、下部の両側に釘５１が貫通する釘孔４１２が穿設された金属板であり、ボルト５２，ナット５３及び釘５１により、梁８の側面に固定される。
また、第二面部材４２は、雇い金具２の係合溝２２と係合する縦方向のスリット部４２１が形成された金属板である。このスリット部４２１は、上部に、上方に行くほどスリット幅が広がるガイド面４２２が形成してあり、かつ、上部が根太側に傾斜しており、係合溝２２を容易に係合することができる。
【００１５】
（上り防止ピン）
上り防止ピン６は、第三面部材４３の下方に位置するように、根太９の側面から挿入される第三金具であり、本実施形態では、先端が尖った連結ピン３とほぼ同様な形状としてある。このようにすると、雇い金具２が上方に抜けることを効果的に防止でき、梁８と根太９の接合強度を向上させることができる。
【００１６】
次に、上記構成の接合金具１の接合方法について、図面を参照して説明する。
まず、図１において、雇い金具２は、根太９の軸線方向に沿って木口面から挿入され、根太９の側面から連結ピン３がピン孔２１に貫入されることにより、根太９に固定される。
ここで、雇い金具２を丸棒状の形状とすることにより、雇い金具２の構造を単純化することができるので、製造原価のコストダウンを図ることができる。また、根太９への加工としては、仕口溝９１，連結ピン３と上り防止ピン６の貫通孔９２，９３，及び，雇い金具２を挿入する挿入穴(図示せず)を加工するだけですむので、作業性を向上させることができる。なお、これらの加工は、工場内で行なうことができ、一般的に、施工現場で加工するより作業性が向上する。
【００１７】
根太受金具４は、梁８の側面に貫通されたボルト５２にナット５３を用いて螺着され、さらに、回転しないように二本の釘５１が打ち込まれる。このように、根太受金具４は、梁８に容易に取り付けることができ、作業性を向上させることができる。
また、根太受金具４は、通常、工場内で予め梁８等に取り付けてから施工現場にトラック等で搬送されるが、この際、梁８からの出幅が小さい（たとえば、約３５ｍｍ）ので、積載効率を向上させることができる。
【００１８】
図２は、本発明の第一実施形態にかかる接合金具を使用した概略組姿図を示している。
また、図３は、本発明の第一実施形態にかかる接合金具の接合状態を説明するための概略断面図を示している。
図２，３において、根太９に取り付けられた雇い金具２は、梁８に取り付けられた根太受金具４のスリット部４２１に、雇い金具２の係合溝２２が上方から係合され、根太９が梁８に仮接合される。
ここで、根太受金具４は、スリット部４２１の上部にガイド面４２２が形成され、かつ、第二面４２の上部が根太側に傾斜しているので、係合溝２２がスムースに係合され、根太９を梁８に容易に仮接合することができる。
【００１９】
次に、上り防止ピン６が、根太９の側面に穿設された貫通孔９３から挿入されると、図３に示すように、上り防止ピン６が根太受金具４の第三面部材４３の下面を係止する。これにより、根太９は、上り防止ピン６と雇い金具２が第三面部材４３を上下方向から挟んだ状態で、梁８と接合されるので、根太９が上方に抜けるといった不具合を防止することができる。
【００２０】
このように、本実施形態の接合金具１は、根太９に固定した雇い金具２の係合溝２２が、梁８に固定した根太受金具４のスリット部４２１とスムースに係合することにより、根太９を梁８に容易に仮接合することができる。さらに、上り防止ピン６を打ち込むことにより、上り防止ピン６と雇い金具２が第三面部材４３を上下方向から挟むので、根太９が上方に抜けるといった不具合を防止することができ、根太９を梁８に強固に接合することができる。
【００２１】
［第二実施形態］
図４は、本発明の第二実施形態にかかる接合金具を説明するための概略分解斜視図を示している。
同図において、接合金具１ａは、雇いプレート金具２ａ，連結ピン３，３０，根太受金具４ａ，釘５１，ボルト５２，ナット５３，及び，上り防止ピン６とからなっている。
なお、本実施形態は、第一実施形態と比較して、丸棒状の雇い金具２に代え、プレート状の雇いプレート金具２ａを使用した点が相違する。他の構成要素は第一実施形態とほぼ同様としてある。
したがって、図４において、図１と同様の構成部分については同一の符号を付して、その詳細な説明を省略する。
【００２２】
（雇い金具）
雇いプレート金具２ａは、根太受金具４ａのスリット部４２１の幅より狭い厚さのプレートであり、梁側に連結ピン３０が貫入されるピン孔２０ａが穿設され、根太側に連結ピン３が貫入されるピン孔２１ａが穿設してある。この雇いプレート金具２ａは、根太９の切り込み溝９４に係入され、根太９の側面から連結ピン３，３０が貫入されることにより、根太９に固定される。
【００２３】
また、雇いプレート金具２ａは、根太受金具４ａのスリット部４２１に嵌入されることにより、梁８の軸線方向の位置が決められ、さらに、ピン孔２０ａに貫入された連結ピン３０が、根太受金具４ａの第二面部材４２と梁８との間に位置するように落とし込まれることにより、根太９の軸線方向の位置が決められる。
ここで、第二面部材４２は、ガイド面４２２が形成してあり、かつ、上部が根太側に傾斜しているので、雇いプレート金具２ａ及び連結ピン３０を容易に係合させることができる。
なお、その他の構成は、上記接合金具１とほぼ同様な構成としてある。
【００２４】
次に、上記構成の接合金具１ａの接合方法について、図面を参照して説明する。
図５において、雇いプレート金具２ａは、根太９の切り込み溝９４に嵌入され、根太９の側面から連結ピン３０，３がピン孔２０ａ，２１ａに貫入されることにより、根太９に固定される。
ここで、雇いプレート金具２ａを上記構造とすることにより、構造を単純化することができるので、製造原価のコストダウンを図ることができる。また、根太９への加工としては、連結ピン３，３０及び上り防止ピン６の貫通孔と、雇いプレート金具２ａを嵌入する切り込み溝９４及び仕口溝９１を形成するだけですむので、作業性を向上させることができる。
また、根太受金具４ａは、第一実施形態と同様に、梁８の側面に固定される。なお、これらの加工は、工場内で行なうことができ、一般的に、施工現場で加工するより作業性が向上する。
【００２５】
図５は、本発明の第二実施形態にかかる接合金具を使用した概略組姿図を示している。
また、図６は、本発明の第二実施形態にかかる接合金具の接合状態を説明するための概略断面図を示している。
図５，６において、根太９に取り付けられた雇いプレート金具２ａは、梁８に取り付けられた根太受金具４ａのスリット部４２１に係合され、かつ、ピン孔２０ａに貫入された連結ピン３０が根太受金具４ａの第二面部材４２と梁８との間に位置し、連結ピン３０が第二面部材４２と当接するより、根太９の木口面が梁８の側面に当接した状態で仮接合される。
【００２６】
次に、上り防止ピン６が、根太９の側面から挿入されると、図６に示すように、上り防止ピン６が根太受金具４ａの第三面部材４３の下面を係止し、上り防止ピン６と雇いプレート金具２ａが第三面部材４３を挟むように、雇いプレート金具２ａが根太受金具４ａと係合されるので、根太９が上方に抜けるといった不具合を防止することができる。
【００２７】
このように、本実施形態の接合金具１ａは、根太９に固定した雇いプレート金具２ａが、梁８に固定した根太受金具４ａのスリット部４２１とスムースに係合し、かつ、連結ピン３０が根太受金具４ａの第二面部材４２と梁８との間に位置するように落とし込まれ、連結ピン３０が第二面部材４２と当接するより、根太９を梁８に容易に仮接合することができる。さらに、上り防止ピン６を打ち込むことにより、上り防止ピン６と雇いプレート金具２ａが第三面部材４３を上下方向から挟むので、根太９が上方に抜けるといった不具合を防止することができ、根太９を梁８に強固に接合することができる。
【産業上の利用可能性】
【００２８】
本発明の木部材の接合金具は、木部材の接合金具に限定されるものではなく、建築用部材の接合金具にも適用することが可能である。
【図面の簡単な説明】
【００２９】
【図１】本発明の第一実施形態にかかる接合金具を説明するための概略分解斜視図を示している。
【図２】本発明の第一実施形態にかかる接合金具を使用した概略組姿図を示している。
【図３】本発明の第一実施形態にかかる接合金具の接合状態を説明するための概略断面図を示している。
【図４】本発明の第二実施形態にかかる接合金具を説明するための概略分解斜視図を示している。
【図５】本発明の第二実施形態にかかる接合金具を使用した概略組姿図を示している。
【図６】本発明の第二実施形態にかかる接合金具の接合状態を説明するための概略断面図を示している。
【符号の説明】
【００３０】
１，１ａ  接合金具
２  雇い金具
２ａ  雇いプレート金具
３，３０  連結ピン
４，４ａ  根太受金具
６  上り防止ピン
８  梁
９  根太
２１，２０ａ，２１ａ  ピン孔
２２  係合溝
４１，  第一面部材
４２，  第二面部材
４３，  第三面部材
５１  釘
５２  ボルト
５３  ナット
９１  仕口溝
９２，９３  貫通孔
９４  切り込み溝
４１１  ボルト孔
４１２  釘孔
４２１  スリット部
４２２  ガイド面
【図１】
2005307527.tif 000003
【図２】
2005307527.tif 000004
【図３】
2005307527.tif 000005
【図４】
2005307527.tif 000006
【図５】
2005307527.tif 000007
【図６】
2005307527.tif 000008